(57)【要約】【課題】  座標入力手段を有するディスプレイを備える画像表示システムにおいて、拡大表示された画像を操作する際の操作性を向上させることを目的とする。【解決手段】  画像データを処理して画像信号を出力する情報処理装置（１００）と、該画像信号を入力し、画像を表示する画像表示装置（２００）とを備える画像表示システムであって、画像表示装置（２００）は、画像を拡大表示処理する拡大表示処理手段（２０３）と、任意の画像を生成するオンスクリーンディスプレイ生成手段（２１１）と、表示画面上を指示することにより位置情報を入力する座標入力手段（２０４）と、を備え、前記拡大表示処理手段（２０３）により拡大表示された画面に、前記オンスクリーンディスプレイ生成手段（２１１）によって生成したスクロールバーを重ねて表示し、該スクロールバーを前記座標入力手段（２０４）からの入力に基づいて操作可能であることを特徴とする。【選択図】  図１
2005100279.tif 000002
【特許請求の範囲】
【請求項１】
画像データを処理して画像信号を出力する情報処理装置と、該画像信号を入力し、画像を表示する画像表示装置とを備える画像表示システムであって、
前記画像表示装置は、画像を拡大表示処理する拡大表示処理手段と、
任意の画像を生成するオンスクリーンディスプレイ生成手段と、
表示画面上を指示することにより位置情報を入力する座標入力手段と、を備え、
前記拡大表示処理手段により拡大表示された画面に、前記オンスクリーンディスプレイ生成手段によって生成したスクロールバーを重ねて表示し、該スクロールバーを前記座標入力手段からの入力に基づいて操作可能であることを特徴とする画像表示システム。
【請求項２】
前記座標入力手段により入力された位置情報を前記情報処理装置に送信する位置情報送信手段を更に備え、
前記位置情報送信手段は、前記座標入力手段が前記オンスクリーンディスプレイ表示された所定の領域外を指定した場合に、前記位置情報を前記情報処理装置に送信することを特徴とする請求項１に記載の画像表示システム。
【請求項３】
前記オンスクリーンディスプレイ生成手段は、前記スクロールバーにおいてスライサーを更に表示し、該スライサーのスクロールバーに対する大きさで拡大率を示し、該スライサーのスクロールバーに対する位置で前記拡大された画像の元画像に対する位置を示すことを特徴とする請求項１に記載の画像表示システム。
【請求項４】
画像データを処理して画像信号を出力する情報処理装置と通信可能に接続され、該画像信号を受信し画像を表示する画像表示装置であって、
入力される画像を拡大表示処理する拡大表示処理手段と、
任意の画像を生成するオンスクリーンディスプレイ生成手段と、
表示画面上を指示することにより位置情報を入力する座標入力手段と、を備え、
前記拡大表示処理手段により拡大表示された画面に、前記オンスクリーンディスプレイ生成手段によって生成したスクロールバーを重ねて表示し、該スクロールバーを前記座標入力手段からの入力に基づいて操作可能であることを特徴とする画像表示装置。
【請求項５】
前記座標入力手段により入力された位置情報を前記情報処理装置に送信する位置情報送信手段を更に備え、
前記位置情報送信手段は、前記座標入力手段が前記オンラインディスプレイ表示された所定の領域外を指定した場合に、前記位置情報を前記情報処理装置に送信することを特徴とする請求項４に記載の画像表示装置。
【請求項６】
前記オンスクリーンディスプレイ生成手段は、前記スクロールバーにおいてスライサーを更に表示し、該スライサーのスクロールバーに対する大きさで拡大率を示し、該スライサーのスクロールバーに対する位置で前記拡大された画像の元画像に対する位置を示すことを特徴とする請求項４に記載の画像表示装置。
【請求項７】
画像データを処理して画像信号を出力する情報処理装置と通信可能に接続され、該画像信号を受信し画像を表示する画像表示方法であって、
入力される画像を拡大表示処理する拡大表示処理工程と、
任意の画像を生成するオンラインスクリーンディスプレイ生成工程と、
表示画面上を指示することにより位置情報を入力する座標入力工程と、を備え、
前記拡大表示処理工程により拡大表示された画面に、前記オンスクリーンディスプレイ生成工程によって生成したスクロールバーを重ねて表示し、該スクロールバーを前記座標入力工程からの入力に基づいて操作可能であることを特徴とする画像表示方法。
【請求項８】
前記座標入力工程により入力された位置情報を前記情報処理装置に送信する位置情報送信工程を更に備え、
前記位置情報送信工程は、前記座標入力工程が前記オンスクリーンディスプレイ表示された所定の領域外を指定した場合に、前記位置情報を前記情報処理装置に送信することを特徴とする請求項７に記載の画像表示方法。
【請求項９】
前記オンスクリーンディスプレイ生成工程は、前記スクロールバーにおいてスライサーを更に表示し、該スライサーのスクロールバーに対する大きさで拡大率を示し、該スライサーのスクロールバーに対する位置で前記拡大された画像の元画像に対する位置を示すことを特徴とする請求項７に記載の画像表示方法。
【請求項１０】
請求項７乃至９のいずれか１つに記載の画像表示方法をコンピュータによって実現させるための制御プログラムを格納した記憶媒体。
【請求項１１】
請求項７乃至９のいずれか１つに記載の画像表示方法をコンピュータによって実現させるための制御プログラム。
【発明の詳細な説明】
【技術分野】
【０００１】
本発明は、画像データを処理して画像信号を出力する情報処理装置と、該画像信号を入力し、所定のウィンドウに画像表示する画像表示装置とを備える画像表示システムに関し、特に画像表示装置が表示画面上の位置情報を入力する座標入力手段を備える画像表示システムに関するものである。
【背景技術】
【０００２】
近年、会議やプレゼンテーションなどの場では、パーソナルコンピュータにおけるアプリケーションソフトを利用して作成した文書や表、あるいはプレゼンテーションと言った様々なデータを、フロントプロジェクタあるいはリアプロジェクタ等の大画面ディスプレイ（画像表示装置）を利用して第三者に見せる機会が増加してきている。この場合、パーソナルコンピュータのビデオ出力端子にディスプレイを接続し、該パーソナルコンピュータで生成される画像データをディスプレイの画面サイズ一杯に表示する。
【０００３】
また、会議やプレゼンテーションといった場では、より訴求効果を上げることを目的として、表示画面の一部を拡大表示することが考えられる。この実現手段としては、パーソナルコンピュータのアプリケーションが備えるズーム機能で拡大する方法がある。また、ディスプレイ自体がズーム機能を備えているものもある。ディスプレイ自体のズーム機能を利用する場合、ディスプレイ本体あるいはリモコンの操作キーにより、例えば画面中心を基点とした一定倍率の拡大画像を表示する。そして、拡大位置を移動したい場合には、ディスプレイ本体あるいはリモコンのカーソル・キーによって上下左右へ表示領域を移動する。
【０００４】
ところで、ディスプレイに表示画面上の座標を指やペン等の指示手段で直接指示可能なデジタイザ（座標入力装置）を備えると、ポインティング手段としてパーソナルコンピュータのマウスと同様の機能を提供するシステムがあり、会議やプレゼンテーションなどの場で効果を発揮する。
【０００５】
該デジタイザとしては、装置の表示画面内部に圧力センサーを備えてペンなどが触れたときの圧力を検出する方式、磁界を発生するペンを使用してその磁界を表示画面内部のセンサーにより検出する電磁誘導方式、超音波発信子と超音波センサーを表示画面の枠部分などに配置して画面上の物体の位置を検出する超音波表面弾性波方式、赤外線を発信するペンを使用してその赤外線を表示装置内部のセンサーにより受信する赤外線方式などが発明されている。
【０００６】
いずれの方式であっても、表示画面上を直接指示することによりポインティング情報（位置情報）をパーソナルコンピュータに与えることが出来るため、パーソナルコンピュータの操作を直感的に行うことができる。
【０００７】
この場合、デジタイザとパーソナルコンピュータとの間を、ポインティング情報の送受信を行うインタフェース・ケーブルにより接続する。インタフェース種類は、マウス接続に使用されるシリアルインタフェース、ＰＳ／２インタフェースあるいはＵＳＢインタフェースなどを利用する。
【０００８】
パーソナルコンピュータには、インタフェース・ケーブルを通して入力される表示画面上のポインティング情報をカーソル移動などに反映させるドライバソフトウェアをインストールしておく。あるいは、デジタイザのポインティング情報を標準のマウス情報に変換することによって、特別なドライバソフトウェアを不要とすることも出来る。
【０００９】
パーソナルコンピュータでは、例えば米国マイクロソフト社製のＷｉｎｄｏｗｓ（登録商標）２０００の様なオペレーティングシステム（ＯＳ）が動作しており、パーソナルコンピュータが生成する画像上に、例えばワープロや表計算などのアプリケーションを実行する複数のウィンドウや、アプリケーション起動のためのアイコンが生成される。
【００１０】
また、パーソナルコンピュータ画像上には指示位置を示すカーソル画像が生成されており、該カーソルで座標指示することによりウィンドウやアイコンの選択および移動などの操作を行う。
【発明の開示】
【発明が解決しようとする課題】
【００１１】
しかしながら、表示画面の一部を特に強調すべく拡大表示するにあたり、上述のようにパーソナルコンピュータのアプリケーションのズーム機能に頼ると、アプリケーションによってはズーム機能を備えていないものがあり不都合である。
【００１２】
また、ズーム機能を備えるディスプレイを使用する場合、パーソナルコンピュータのアプリケーションに依らず拡大表示が可能であるが、現在の拡大表示位置が何処に位置しているのかが分かり難く、さらに、画像の拡大表示や拡大表示後の拡大領域移動などの操作をディスプレイ本体あるいはリモコンが有するカーソル・キーで行わなければならず、操作が直感的ではなかった。
【００１３】
一方、操作を直感的に行う手段として、デジタイザを備えたディスプレイの利用が考えられるが、該デジタイザによる座標指示はパーソナルコンピュータに対してマウスと同様の操作を提供するのみで、ディスプレイの機能として備えるズーム機能の操作や拡大表示後の拡大領域の移動操作を行うことができず、使い勝手が悪かった。
【００１４】
本発明は、上記問題点に鑑みなされたもので、座標入力手段を有するディスプレイを備える画像表示システムにおいて、拡大表示された画像を操作する際の操作性を向上させることを目的とする。より具体的には、座標入力手段を備えるディスプレイにおいて、拡大画像の元画像に対する位置情報を視覚的に示すと共に、画像の拡大表示及び該拡大画像の表示領域の移動を直感的に行うことを可能にすることで、操作性の高い画像表示システムを提供することを目的とする。
【課題を解決するための手段】
【００１５】
上記の目的を達成するために本発明に係る画像表示システムは以下のような構成を備える。即ち、
画像データを処理して画像信号を出力する情報処理装置と、該画像信号を入力し、画像を表示する画像表示装置とを備える画像表示システムであって、
前記画像表示装置は、画像を拡大表示処理する拡大表示処理手段と、
任意の画像を生成するオンスクリーンディスプレイ生成手段と、
表示画面上を指示することにより位置情報を入力する座標入力手段と、を備え、
前記拡大表示処理手段により拡大表示された画面に、前記オンスクリーンディスプレイ生成手段によって生成したスクロールバーを重ねて表示し、該スクロールバーを前記座標入力手段からの入力に基づいて操作可能であることを特徴とする。
【発明の効果】
【００１６】
本発明によれば、座標入力手段を有するディスプレイを備える画像表示システムにおいて、拡大表示された画像を操作する際の操作性を向上させることが可能となる。より具体的には、座標入力手段を備えるディスプレイにおいて、拡大画像の元画像に対する位置情報を視覚的に示すと共に、画像の拡大表示及び該拡大画像の表示領域の移動を直感的に行うことを可能にすることで、操作性の高い画像表示システムを提供することができる。
【発明を実施するための最良の形態】
【００１７】
以下、添付図面を参照して本発明の好適な実施の形態を詳細に説明する。
【００１８】
［第１の実施形態］
図１は、本発明の第１の実施形態にかかる画像表示システムの概略構成を示すブロック図であり、１００は情報処理装置としてのパーソナルコンピュータ、２００は画像表示装置であり、ビデオケーブル３００と通信ケーブル４００とで接続している。
【００１９】
パーソナルコンピュータ１００は、全体を制御し各種処理を実行するＣＰＵ１０１と、ＣＰＵ１０１が実行するプログラムを記憶するＲＯＭ１０２と、ＣＰＵが使用するデータなどを記憶するＲＡＭ１０３と、マウスインタフェース１０４と、キーボードインタフェース１０５と、描画信号処理部１０６と、ハードディスク１０７と、ディスプレイ出力インタフェース１０９と、で構成され、それぞれシステムバス１０８で接続される。
【００２０】
マウスインタフェ−ス１０４には、通常マウスなどの座標入力装置を接続し、パーソナルコンピュータ画面上のポインタを表示制御する座標情報をＣＰＵ１０１へ供給する。また、クリック信号が検出された場合はコマンド信号としてＣＰＵ１０１へ供給する。本発明では、通信ケーブル４００を介して画像表示装置２００のマウスインタフェースと接続する。
【００２１】
キーボードインタフェース１０５には、図示しないキーボードを接続し、入力される操作キーに対応した入力情報をＣＰＵ１０１へ供給する。
【００２２】
ＣＰＵ１０１は、座標入力装置またはキーボードによって入力される座標情報やコマンドに従って、例えばハードディスク１０７や、ＲＯＭ１０２、ＲＡＭ１０３に対するデータの記録、読み出しなどの処理を行う。ＣＰＵ１０１によりハードディスク１０７から読み出されるデータはワークエリアとして構成されるＲＡＭ１０３上に展開され、ここでユーザの操作などによる各種データ処理を行う。ＲＡＭ１０３に展開されたデータは、描画信号処理部１０６に読み出されて画像信号を生成し、ディスプレイ出力インタフェース１０９を介して画像表示装置２００へ出力する。
【００２３】
画像表示装置２００は、ディスプレイ入力インタフェース２０１と、画像表示ブロック２０２と、システムコントローラ２０３と、座標入力装置２０４と、マウスインタフェース２０５と、操作キー入力部２０６とを含んで構成される。また、画像表示ブロック２０２は、画像処理部２１０と、ＯＳＤ（オンスクリーンディスプレイ）生成部２１１と、表示デバイス２１２とを含んで構成される。
【００２４】
以上の構成において、パーソナルコンピュータ１００から出力される画像信号は、ビデオケーブル３００、およびビデオ入力インタフェース２０１を介して画像処理部２１０に入力される。画像処理部２１０では、図示しない画像メモリへの入力画像信号の取り込み位置の最適化や、入力画像信号の解像度を表示デバイス２１２が持つ解像度へ最適化するなどの処理を行い、表示デバイス２１２で画像を表示する。ここで、入力画像信号の取り込み位置の最適化や、表示デバイス２１２が持つ解像度への最適化などの処理に関する制御はシステムコントローラ２０３が行う。ＯＳＤ生成部２１１は、システムコントローラ２０３からの制御により所望の画像を生成し、画像処理部２１０で入力画像信号と合成して表示を行う。システムコントローラ２０３は、座標入力装置２０４、操作キー入力部２０６からの信号が入力され、それぞれの機能に対応した制御を行う。また、マウスコントローラ２０５は、システムコントローラ２０３の制御により、後述する処理フローに従って、座標入力装置２０４より入力された座標情報をパーソナルコンピュータ１００へ出力する。パーソナルコンピュータ１００では、受け取った該座標情報をマウスによる座標情報と同様に扱い、パーソナルコンピュータ１００上で動作するアプリケーションソフトなどの操作を可能とする。
【００２５】
ここで、操作キー入力部２０６より、拡大表示モードに設定されると画像処理部２１０で入力画像の一部を拡大処理すると共に、ＯＳＤ生成部２１１で図２に示す画像を生成し、拡大表示画像に合成して表示する。
【００２６】
図２において、５００は表示画面であり、この表示画面上にＯＳＤ画像として、水平方向の拡大領域移動用スクロールバー５２０およびスライサー５２１、垂直方向の拡大領域移動用スクロールバー５３０およびスライサー５３１、ズームアップ用アイコン５４０、ズームダウン用アイコン５４１、ズーム機能終了用アイコン５４２を表示する。
【００２７】
ここで、表示デバイス２１２が水平画素数として１０２４画素、垂直ライン数として７６８ライン持つとして、画面に向かって左上角を座標（０，０）、右下角を座標（１０２３，７６７）とする。この座標系において、例えば、水平スクロールバー５２０の領域は座標（２９８，６８３）から（７２５，７２５）、水平スクロールバー５３０の領域は座標（９３８，１７０）から（９８１，５９７）、ズームアップ用アイコン５４０の領域は座標（７８６，６８３）から（８５１，７４８）、ズームダウン用アイコン５４１の領域は座標（８５９，６８３）から（９２４，７４８）、ズーム機能終了用アイコン５４２の領域は座標（９３２，６８８）から（９９７，７４８）として表示される。
【００２８】
これら領域内で指示される座標は、それぞれの機能を実行するコマンドとしてシステムコントローラ２０３で処理され、これら領域外の指示座標は、パーソナルコンピュータ１００に対する座標情報として利用する。
【００２９】
この表示制御は、図３に示すフローチャートによって行うことが出来る。ステップＳ１００において、操作キー入力部２０６の操作により拡大表示が選択されるとステップＳ１０１へ進み入力画像信号の一部を拡大表示してステップＳ１０２へ進む。この時、拡大画像の拡大率は２倍で、拡大領域は画面中心に設定されているものとする。また、拡大表示の選択手段は操作キー入力部２０６に限るものではなく、例えば図示しないリモコンのキー操作を用いることも出来る。
【００３０】
ステップＳ１０２では、画像表示装置２００のＯＳＤ生成部２１１で図２に示すスクロールバーおよびアイコンを生成して、拡大画像に重ねて表示する。この時の表示画像を図４に示す。図４で４００は入力画像、４０１は２倍の拡大画像であり、４２１および４３１はそれぞれ水平方向と垂直方向のスクロールバー表示を示す。
【００３１】
次にステップＳ１０３へ進み、ポインティングの有無を判断する。ここで、ポインティングが無ければ現状表示のまま待ち受けとなり、ポインティングが有ればステップＳ１０４へ進み、ポインティング座標を取得する。取得された座標は、画像表示装置２００のシステムコントローラ２０３において、ステップＳ１０５およびステップＳ１０６でそれぞれスクロールバー領域の座標かアイコン領域の座標かを判断する。
【００３２】
ステップＳ１０５でスクロールバー領域の座標と判断されると、拡大表示領域の移動操作が行われたものとして、ステップＳ２００へ進み、システムコントローラ２０３において移動量の計算に使用する。ここで、座標移動量の計算はスクロールバー領域でのポインティング座標の移動量とする方法、スライサー中心座標からポインティング座標までの距離を移動量として換算する方法などが考えられるが、ここでは特に限定しない。次にステップＳ２０１へ進み、ステップＳ２００で求めた移動量に対応して拡大画像の表示領域を移動して表示し、ステップＳ２０２へ進む。ステップＳ２０２では、移動量に対応してスクロールバーに対するスライサーの位置表示を変更し、ステップＳ１０３へ戻って次の操作を待ち受ける。図５に図４の状態から水平方向に移動した場合の表示画像を示す。
【００３３】
ステップＳ１０６でアイコン領域の座標であると判断すると、ステップＳ３００、およびＳ３０１で、それぞれズームアップアイコン領域、およびズームダウンアイコン領域か否かを判断する。ステップＳ３００でズームアップアイコン領域と判断すると、ステップＳ３１０へ進み、表示画像の再拡大処理を行う。再拡大時の拡大率は任意に設定可能であるが、ここでは２倍とする。次にステップＳ３１１へ進み、ズームアップに対応してスライサー表示のスクロールバーに対する比率を変更してステップＳ１０３へ戻る。図６に図４の状態からズームアップした場合の表示画像を示す。
【００３４】
ステップＳ３０１でズームダウンアイコン領域と判断すると、ステップＳ３２０へ進み、拡大表示からの縮小表示処理を行う。この時の縮小率は任意に設定可能であるが、ここでは１／２倍とする。次にステップＳ３２１へ進み、ズームダウンに対応してスライサー表示のスクロールバーに対する比率を変更してステップＳ１０３へ戻る。図６の状態からズームダウン表示として図４が対応する。
【００３５】
ステップＳ３００、およびＳ３０１でズームアップアイコン領域でもズームダウンアイコン領域でもない場合、ズーム終了アイコン領域と判断し、ステップＳ３０３へ進む。ステップＳ３０３では、スクロールバーおよびアイコン表示を消去してステップＳ３０４へ進み、ステップＳ３０４で画面表示を入力画像の等倍表示としてズーム表示を終了する。
【００３６】
ステップＳ１０５、およびステップＳ１０６でスクロールバー領域、およびアイコン領域ではないと判断された場合、ポインティング座標は、パーソナルコンピュータ１００の出力画像に対する座標情報として、ステップＳ１０７でパーソナルコンピュータ１００に出力される。パーソナルコンピュータ１００は、入力された座標情報に基づいてウィンドウやアイコンの選択や移動などの処理を行う。
【００３７】
図７（Ａ）、（Ｂ）、および（Ｃ）は、それぞれ図４、図５、および図６に示す水平方向スクロールバーを並べた図である。図７（Ａ）は、元画像に対して拡大画像が２倍であることをスクロールバーの幅：Ｗに対するスライサーの幅：１／２Ｗで示し、拡大領域が元画像の中心であることをスクロールバーの中心とスライサーの中心が一致している事で示す。図７（Ｂ）は、２倍の拡大画像で拡大領域が元画像の右半分である事を示す。そして、図７（Ｃ）は、元画像に対して拡大画像が４倍であることをスクロールバーの幅：Ｗに対するスライサーの幅：１／４Ｗで示し、拡大領域が元画像の中心であることをスクロールバーの中心とスライサーの中心が一致していることで示す。
【００３８】
以上の説明から明らかなように、本実施形態によれば、デジタイザを備えるディスプレイにおいて、拡大画像の元画像に対する位置情報を視覚的に示すと共に、拡大画像を表示した場合に該拡大画像の表示領域の移動を直感的に行うことが可能となる。
【００３９】
［第２の実施形態］
図８は、本発明の第２の実施形態にかかる画像表示システムの概略構成を示すブロック図であり、６００は画像出力装置、２００は画像表示装置であり、ビデオケーブル３００とで接続している。
【００４０】
画像出力装置６００は、例えばＴＶチューナやＶＴＲといった映像信号を出力する機器であれば何でもよく、画像表示装置２００の内部構成は上記第１の実施形態と同じである。これにより、本実施の形態でも上記第１の実施形態と同様の効果を得ることが出来る。
【００４１】
［他の実施形態］
また、本発明の目的は、前述した実施形態の機能を実現するソフトウェアのプログラムコードを記録した記憶媒体を、システムあるいは装置に供給し、そのシステムあるいは装置のコンピュータ（またはＣＰＵやＭＰＵ）が記憶媒体に格納されたプログラムコードを読出し実行することによっても、達成されることは言うまでもない。
【００４２】
この場合、記憶媒体から読出されたプログラムコード自体が前述した実施形態の機能を実現することになり、そのプログラムコードを記憶した記憶媒体は本発明を構成することになる。プログラムコードを供給するための記憶媒体としては、例えば、フロッピ（登録商標）ディスク、ハードディスク、光ディスク、光磁気ディスク、ＣＤ−ＲＯＭ、ＣＤ−Ｒ、磁気テープ、不揮発性のメモリカード、ＲＯＭなどを用いることができる。
【００４３】
また、コンピュータが読出したプログラムコードを実行することにより、前述した実施形態の機能が実現されるだけでなく、そのプログラムコードの指示に基づき、コンピュータ上で稼働しているＯＳ（オペレーティングシステム）などが実際の処理の一部または全部を行い、その処理によって前述した実施形態の機能が実現される場合も含まれることは言うまでもない。
【００４４】
さらに、記憶媒体から読出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵなどが実際の処理の一部または全部を行い、その処理によって前述した実施形態の機能が実現される情報機器などの装置が含まれることは言うまでもない。
【図面の簡単な説明】
【００４５】
【図１】本発明の第１の実施形態にかかる画像表示システムの概略構成を示すブロック図である。
【図２】画像拡大時の表示情報を示す図である。
【図３】本発明に第１の実施形態にかかる画像表示システムの画像拡大処理のフローを示すフローチャートである。
【図４】２倍拡大表示の場合の表示画面を説明する図である。
【図５】２倍拡大表示で表示領域を移動した表示画面を説明する図である。
【図６】４倍拡大表示の場合の表示画面を説明する図である。
【図７】画像拡大時の表示情報を説明する図である。
【図８】本発明の第２の実施形態にかかる画像表示システムの概略構成を示すブロック図である。
【符号の説明】
【００４６】
１００：パーソナルコンピュータ
１０１：ＣＰＵ
１０２：ＲＯＭ
１０３：ＲＡＭ
１０４：マウスＩ／Ｆ
１０５：キーボードＩ／Ｆ
１０６：描画信号処理部
１０７：ディスプレイ出力Ｉ／Ｆ
１０８：システムバス
２００：画像表示装置
２０１：ディスプレイ入力Ｉ／Ｆ
２０２：画像表示ブロック
２０３：システムコントローラ
２０４：座標入力装置
２０５：マウスＩ／Ｆ
２０６：操作キー入力部
５００：表示画面
５２０：水平スクロールバー
５２１：水平スライサー
５３０：垂直スクロールバー
５３１：垂直スライサー
５４１〜５４３：アイコン
【図１】
2005100279.tif 000003
【図２】
2005100279.tif 000004
【図３】
2005100279.tif 000005
【図４】
2005100279.tif 000006
【図５】
2005100279.tif 000007
【図６】
2005100279.tif 000008
【図７】
2005100279.tif 000009
【図８】
2005100279.tif 000010
【手続補正書】
【提出日】平成16年12月14日(2004.12.14)
【手続補正１】
【補正対象書類名】特許請求の範囲
【補正対象項目名】全文
【補正方法】変更
【補正の内容】
【特許請求の範囲】
【請求項１】
画像データを処理して画像信号を出力する情報処理装置と、該画像信号を入力し、画像を表示する画像表示装置とを備える画像表示システムであって、
前記画像表示装置は、
任意の画像を生成するオンスクリーンディスプレイ生成手段と、
表示画面上を指示することにより位置情報を入力する座標入力手段と、
前記オンスクリーンディスプレイ生成手段によってスクロールバーを生成して表示し、該スクロールバーに対する前記座標入力手段からの入力に基づいて前記情報処理装置から出力された画像信号を制御する制御手段と
を有することを特徴とする画像表示システム。
【請求項２】
更に画像を拡大表示する拡大表示手段を備え、前記制御手段は、該拡大表示手段によって拡大表示された画面に前記スクロールバーを重ねて表示し、前記座標入力手段からの入力に基づいて該スクロールバーが移動するよう制御することを特徴とする請求項１に記載の画像表示システム。
【請求項３】
前記座標入力手段により入力された位置情報を前記情報処理装置に送信する位置情報送信手段を更に備え、
前記位置情報送信手段は、前記座標入力手段が前記オンスクリーンディスプレイ表示された所定の領域外を指定した場合に、前記位置情報を前記情報処理装置に送信することを特徴とする請求項１に記載の画像表示システム。
【請求項４】
前記オンスクリーンディスプレイ生成手段は、前記スクロールバーにおいてスライサーを更に表示し、該スライサーのスクロールバーに対する大きさで拡大率を示し、該スライサーのスクロールバーに対する位置で前記拡大された画像の元画像に対する位置を示すことを特徴とする請求項１に記載の画像表示システム。
【請求項５】
画像データを処理して画像信号を出力する情報処理装置と通信可能に接続され、該画像信号を受信し画像を表示する画像表示装置であって、
任意の画像を生成するオンスクリーンディスプレイ生成手段と、
表示画面上を指示することにより位置情報を入力する座標入力手段と、
前記オンスクリーンディスプレイ生成手段によってスクロールバーを生成して表示し、該スクロールバーに対する前記座標入力手段からの入力に基づいて前記情報処理装置から出力された画像信号を制御する制御手段と
を有することを特徴とする画像表示装置。
【請求項６】
更に画像を拡大表示する拡大表示手段を備え、前記制御手段は、該拡大表示手段によって拡大表示された画面に前記スクロールバーを重ねて表示し、前記座標入力手段からの入力に基づいて該スクロールバーが移動するよう制御することを特徴とする請求項５に記載の画像表示装置。
【請求項７】
前記座標入力手段により入力された位置情報を前記情報処理装置に送信する位置情報送信手段を更に備え、
前記位置情報送信手段は、前記座標入力手段が前記オンラインディスプレイ表示された所定の領域外を指定した場合に、前記位置情報を前記情報処理装置に送信することを特徴とする請求項５に記載の画像表示装置。
【請求項８】
前記オンスクリーンディスプレイ生成手段は、前記スクロールバーにおいてスライサーを更に表示し、該スライサーのスクロールバーに対する大きさで拡大率を示し、該スライサーのスクロールバーに対する位置で前記拡大された画像の元画像に対する位置を示すことを特徴とする請求項５に記載の画像表示装置。
【請求項９】
画像データを処理して画像信号を出力する情報処理装置と通信可能に接続され、該画像信号を受信し画像を表示する画像表示方法であって、
任意の画像を生成するオンラインスクリーンディスプレイ生成工程と、
表示画面上を指示することにより位置情報を入力する座標入力工程と、
前記オンスクリーンディスプレイ生成工程によってスクロールバーを生成して表示し、該スクロールバーに対する前記座標入力工程での入力に基づいて前記情報処理装置から出力された画像信号を制御する制御工程と
を有することを特徴とする画像表示方法。
【請求項１０】
更に画像を拡大表示する拡大表示工程を備え、前記制御工程は、該拡大表示工程によって拡大表示された画面に前記スクロールバーを重ねて表示し、前記座標入力工程からの入力に基づいて該スクロールバーが移動するよう制御することを特徴とする請求項９に記載の画像表示方法。
【請求項１１】
前記座標入力工程により入力された位置情報を前記情報処理装置に送信する位置情報送信工程を更に備え、
前記位置情報送信工程は、前記座標入力工程が前記オンスクリーンディスプレイ表示された所定の領域外を指定した場合に、前記位置情報を前記情報処理装置に送信することを特徴とする請求項９に記載の画像表示方法。
【請求項１２】
前記オンスクリーンディスプレイ生成工程は、前記スクロールバーにおいてスライサーを更に表示し、該スライサーのスクロールバーに対する大きさで拡大率を示し、該スライサーのスクロールバーに対する位置で前記拡大された画像の元画像に対する位置を示すことを特徴とする請求項９に記載の画像表示方法。
【請求項１３】
請求項９に記載の画像表示方法をコンピュータによって実現させるための制御プログラム。
【手続補正２】
【補正対象書類名】明細書
【補正対象項目名】００１５
【補正方法】変更
【補正の内容】
【００１５】
上記の目的を達成するために本発明に係る画像表示システムは以下のような構成を備える。即ち、
画像データを処理して画像信号を出力する情報処理装置と、該画像信号を入力し、画像を表示する画像表示装置とを備える画像表示システムであって、
前記画像表示装置は、
任意の画像を生成するオンスクリーンディスプレイ生成手段と、
表示画面上を指示することにより位置情報を入力する座標入力手段と、
前記オンスクリーンディスプレイ生成手段によってスクロールバーを生成して表示し、該スクロールバーに対する前記座標入力手段からの入力に基づいて前記情報処理装置から出力された画像信号を制御する制御手段とを有する。